(57)【要約】【課題】  食品、飲料、医薬品等を収納した小型容器等の破損し易い容器を保護する緩衝機能を備えるとともに、内容物等を記載した説明書等の添付書類を容易に挿入可能とする収容空間を備える包装用箱を提供する。【解決手段】第１側板から第４側板、第１糊代片と第１緩衝板を横方向に連接し、第４側板の下端に第１下蓋を設け、第２側板の下端に底部緩衝部を設け、中空底板の下端に第２糊代片を設け、第２糊代片の右端に第２緩衝板を設け、第１側板と第３側板の下端に補助下蓋を設け、補助下蓋に補助下蓋糊代片を設け、第１側板から第４側板のいずれかの側板の上端に上蓋を設け、上蓋の上端に差し込み片を設けてなり、これらを組み立てることにより、底部緩衝部を形成し、第２側板と対向される第４側板と底部緩衝部との間に収容空間を形成し、第１緩衝板と第２緩衝板にて胴部緩衝部を形成し、胴部緩衝部の谷部を第２側板側に配置することを特徴とする包装用箱。【選択図】  図１
2014005045.tif 000002
【特許請求の範囲】
【請求項１】
４枚の外周壁を構成する第１側板から第４側板、第１糊代片及び第１緩衝板を折線を介して横一方向に順次連接し、
前記第４側板の下端には、折線を介して第１下蓋を設け、
前記第２側板の下端には、底部緩衝部を構成する第２下蓋、中空保持板、中空底板を折線を介して縦一方向に設け、
前記中空底板の下端には、折線を介して第２糊代片を設け、
前記第２糊代片の右端には、折線を介して第２緩衝板を設け、
前記第１側板及び前記第３側板の下端には、折線を介して補助下蓋をそれぞれ設けるとともに、前記補助下蓋に折線を介して前記第１下蓋、前記第２下蓋に貼着させる補助下蓋糊代片をそれぞれ設け、
前記第１側板から第４側板におけるいずれかの側板の上端には、折線を介して上蓋を設けるとともに、前記上蓋の上端に折線を介して差し込み片を設けてなり、
前記各折線にしたがって各構成板及び構成片を折曲し、所定箇所を貼着して組み立てることにより、前記底部緩衝部を形成し、
前記第２側板と対向配置される第４側板と前記底部緩衝部との間に当該側板の鉛直方向に沿うようにして収容空間を形成するとともに、
前記第１緩衝板及び前記第２緩衝板により平面視にて略Ｖ字状となる胴部緩衝部を形成し、前記胴部緩衝部における略Ｖ字状の谷部を前記第２側板側に配置することを特徴とする包装用箱。
【請求項２】
前記底部緩衝部を構成する前記第２下蓋に折線を介して第２下蓋支持片を設ける請求項１に記載の包装用箱。
【請求項３】
前記第１緩衝板は、前記外周壁を構成する側板における鉛直方向の上方に配置され、前記第２緩衝板は、当該鉛直方向の下方に配置される請求項１又は請求項２に記載の包装用箱。
【請求項４】
前記第４側板の上端に前記上蓋及び前記差し込み片を設け、
前記第２側板における上端と複数の弱め線にて囲われる破断部を形成するとともに、前記破断部と前記差し込み片を貼着し、
前記破断部の下方位置にて前記第１緩衝板の先端部が前記第２側板と当接する請求項３に記載の包装用箱。
【請求項５】
前記第１緩衝板の先端部から前記第１糊代片側の上方に向けて傾斜部が設けられる請求項４に記載の包装用箱。
【発明の詳細な説明】
【技術分野】
【０００１】
本発明は、食品、飲料、医薬品等を収納した小型容器等の破損し易い容器を保護する緩衝機能を備えた包装用箱に関するものである。
【背景技術】
【０００２】
従来より、内部にパッキン等の充填物を設けず、外部からの衝撃等による破損を防止する緩衝機能を備えた包装用箱が公知である。
【０００３】
例えば、箱本体の内部の中空部に、後側板に固着された固着板の内面に貼着板を固着し、後側板と相対する前側板の内面中央付近に内前側板の保持片を固着し、各側板から遊離して浮いた状態で、保護板による断面正方形状の保持部を形成し、底部に右・左緩衝部によりなる底部緩衝部を形成する包装用箱が公知である（特許文献１参照）。
【０００４】
これにより、包装用箱に収納される小型容器の底部を底部緩衝部に載置し、当該胴部を内部に浮いた状態の保持部で保持している為、外部からの衝撃等による破損を防止することができるものである。
【先行技術文献】
【特許文献】
【０００５】
【特許文献１】実登第３０１１８７６号
【発明の概要】
【発明が解決しようとする課題】
【０００６】
しかしながら、上記構造では、包装用箱における内部の略中央部に断面正方形状の保持部を設けることから、四方の各側板との間隙が極めて狭くなるものであった。よって、小型容器内の内容物等を記載した説明書等の添付書類を挿入する為には、添付書類を略コ字状に折曲して小型容器の上方から覆設するようにしなければ収納することができないものであった。係る際には、自動梱包機での梱包作業に適合しない虞があり、作業効率の低減が懸念されるものであった。
【０００７】
そこで、本発明はこのような問題点を解決するものであって、食品、飲料、医薬品等を収納した小型容器等の破損し易い容器を保護する緩衝機能を備えるとともに、内容物等を記載した説明書等の添付書類を容易に挿入可能とする収容空間を備える包装用箱を提供することを課題とする。
【課題を解決するための手段】
【０００８】
前記問題点を解決するために、本発明の請求項１に記載の包装用箱は、４枚の外周壁を構成する第１側板から第４側板、第１糊代片及び第１緩衝板を折線を介して横一方向に順次連接し、前記第４側板の下端には、折線を介して第１下蓋を設け、前記第２側板の下端には、底部緩衝部を構成する第２下蓋、中空保持板、中空底板を折線を介して縦一方向に設け、前記中空底板の下端には、折線を介して第２糊代片を設け、前記第２糊代片の右端には、折線を介して第２緩衝板を設け、前記第１側板及び前記第３側板の下端には、折線を介して補助下蓋をそれぞれ設けるとともに、前記補助下蓋に折線を介して前記第１下蓋、前記第２下蓋に貼着させる補助下蓋糊代片をそれぞれ設け、前記第１側板から第４側板におけるいずれかの側板の上端には、折線を介して上蓋を設けるとともに、前記上蓋の上端に折線を介して差し込み片を設けてなり、前記各折線にしたがって各構成板及び構成片を折曲し、所定箇所を貼着して組み立てることにより、前記底部緩衝部を形成し、前記第２側板と対向配置される第４側板と前記底部緩衝部との間に当該側板の鉛直方向に沿うようにして収容空間を形成するとともに、前記第１緩衝板及び前記第２緩衝板により平面視にて略Ｖ字状となる胴部緩衝部を形成し、前記胴部緩衝部における略Ｖ字状の谷部を前記第２側板側に配置することを特徴とするものである。
【０００９】
また、本発明の請求項２に記載の包装用箱は、請求項１に記載の包装用箱において、前記底部緩衝部を構成する前記第２下蓋に折線を介して第２下蓋支持片を設けるものである。
【００１０】
また、本発明の請求項３に記載の包装用箱は、請求項１又は請求項２に記載の包装用箱において、前記第１緩衝板は、前記外周壁を構成する側板における鉛直方向の上方に配置され、前記第２緩衝板は、当該鉛直方向の下方に配置されるものである。
【００１１】
また、本発明の請求項４に記載の包装用箱は、請求項３に記載の包装用箱において、前記第４側板の上端に前記上蓋及び前記差し込み片を設け、前記第２側板における上端と複数の弱め線にて囲われる破断部を形成するとともに、前記破断部と前記差し込み片を貼着し、前記破断部の下方位置にて前記第１緩衝板の先端部が前記第２側板と当接するものである。
【００１２】
また、本発明の請求項５に記載の包装用箱は、請求項４に記載の包装用箱において、前記第１緩衝板の先端部から前記第１糊代片側の上方に向けて傾斜部が設けられるものである。
【発明の効果】
【００１３】
本発明の包装用箱では、底部緩衝部にて小型容器の底部を浮かせた状態で載置し、略Ｖ字状の胴部緩衝部にて小型容器の胴部を保持することができる。また、側板の縦方向（鉛直方向）に沿うようにして、収容空間を確保することにより、容易に添付書類を収容することができる。
【図面の簡単な説明】
【００１４】
【図１】本発明の実施例における包装用箱を展開した状態の表面図である。
【図２】本発明の実施例における包装用箱を展開した状態の裏面図である。
【図３】本発明の実施例における包装用箱を図２に示す状態から折り進めた状態説明図である。
【図４】本発明の実施例における包装用箱を図３に示す状態から折り進めた状態説明図である。
【図５】本発明の実施例における包装用箱を図４に示す状態から折り進めた状態説明図である。
【図６】本発明の実施例における包装用箱を組み立てた状態の斜視図である。
【図７】本発明の実施例における包装用箱を組み立てた状態の平面図である。
【図８】本発明の実施例における包装用箱を組み立てた状態の一部を切り欠いて示す斜視図である。
【図９】本発明の実施例における包装用箱の図７のＡ−Ａ断面図である。
【図１０】本発明の実施例における包装用箱に小型容器及び添付書類を収納した状態の斜視図である。
【発明を実施するための形態】
【００１５】
以下、本発明の実施の形態における包装用箱を図面に基づいて説明する。当該包装用箱において、上蓋が設けられる側を当該箱の上方とし、下蓋が設けられる側を当該箱の下方とする。また、展開図において、上下方向を縦とし、左右方向を横とする。
【実施例】
【００１６】
本発明に係る包装用箱は、食品、飲料、医薬品等を収納した小型容器Ｂの底部を底部緩衝部に載置し、当該胴部を胴部緩衝部にて保持するとともに、小型容器Ｂ内の内容物等を記載した説明書等の添付書類Ｍを収納することができる収容空間を有するものである。当該包装用箱は、一枚の台紙から形成されており、図１及び図２に示すような展開図からなるものである。図１は、当該包装用箱を展開した状態の表面図であり、図２は、その裏面図である。
【００１７】
図２に示すように、包装用箱は展開した状態において、４枚の外周壁を構成する第１側板から第４側板、第１糊代片５及び第１緩衝板６を折線ａ、ｂ、ｃ、ｄ、ｅを介して横一方向に順次連接している。尚、本実施例においては、右側板１、前側板２、左側板３、後側板４、第１糊代片５、第１緩衝板６とを折線ａ、ｂ、ｃ、ｄ、ｅを介して横一方向に順次連設している。
【００１８】
右側板１、前側板２、左側板３、後側板４は、略同一形状となるよう形成される。第１糊代片５の横寸法は、右側板１等における横寸法の略１／３とされる。また、第１糊代片５の縦寸法は、右側板１等における縦寸法と略同等とされる。更に、図１に示すように、第１糊代片５の表面部は、糊等が塗布される貼着部Ｐとされる。
【００１９】
第１緩衝板６は、小型容器Ｂにおける胴部を保持する胴部緩衝部を構成するものであり、当該胴部の上方を保持するものである。第１緩衝板６の縦寸法は、右側板１等における縦寸法の略１／３とされ、折線ｅを介して第１糊代片５の上端部に設けられる。また、第１緩衝板６の右端は、先端部とされる。更に、当該先端部から第１糊代片５側の上方に向けて傾斜部６ａが設けられる。
【００２０】
図２に示すように、右側板１及び左側板３には、夫々上端に折線ｆ、ｇを介して内蓋７を構成する上内蓋７ａ、７ｂが設けられる。一方、下端には折線ｈ、ｉを介して補助蓋８を構成する補助下蓋８ａ、８ｂが設けられる。補助下蓋８ａ、８ｂは、例えば略三角形状に形成され、一方の傾斜片から折線ｊ、ｋを介して補助蓋８の糊代片９を構成する補助下蓋糊代片９ａ、９ｂが設けられる。同図に示すように、補助下蓋糊代片９ａ、９ｂの裏面部は、糊等が塗布される貼着部Ｐとされ、後述する第１下蓋１２、第２下蓋１３に貼着される。
【００２１】
後側板４には、上端に折線ｌを介して上蓋１０が設けられ、更に上蓋１０の上端には折線ｍを介して差し込み片１１が設けられる。一方、下端には折線ｎを介して第１下蓋１２が設けられる。
【００２２】
また、前側板２には、下端に折線ｏを介して第２下蓋１３が設けられる。第２下蓋１３は、例えば下方側を短辺とする略台形状に形成され、一方の傾斜片から折線ｐを介して第２下蓋支持片１３ａが設けられる。当該第２下蓋支持片１３ａは、包装用箱を組み立てた際に、第２下蓋１３を底上げするとともに、弾性機能を付加する為に設けられる。第２下蓋１３の縦寸法は、右側板１等における横寸法より短く形成される。
【００２３】
更に、第２下蓋１３には、下端に折線ｑを介して中空保持板１４が設けられる。また、中空保持板１４には、下端に折線ｒを介して中空底板１５が設けられる。中空底板１５の縦寸法は、右側板１等における横寸法より短く形成され、第２下蓋１３の縦寸法と略同等に形成される。そして、少なくとも第２下蓋１３、中空保持板１４及び中空底板１５は縦一方向に連接され、小型容器Ｂの底部を載置させる底部緩衝部を構成する。
【００２４】
また、中空底板１５には、下端に折線ｓを介して第２糊代片１６が設けられる。第２糊代片１６の横寸法は、中空底板１５における横寸法の略半分とされる。第２糊代片１６の縦寸法は、右側板等１における縦寸法の略半分とされる。例えば、第２糊代片１６は、中空底板１５の左端に沿って設けられる。同図に示すように、第２糊代片１６の裏面部は、糊等が塗布される貼着部Ｐとされる。
【００２５】
更に、第２糊代片１６には、右端に折線ｔを介して第２緩衝板１７が設けられる。第２緩衝板１７は、第１緩衝板６とともに、小型容器Ｂにおける胴部を保持する胴部緩衝部を構成するものであり、当該胴部の下方を保持するものである。第２緩衝板１７の縦寸法は、第２糊代片１６における縦寸法の略２／３とされる。例えば、第２緩衝板１７は、第２糊代片１６の右端に沿った状態で、且つ第２糊代片１６の下端部に設けられる。
【００２６】
また、前側板２には、当該上端と複数の弱め線１８にて囲われる破断部が設けられる。例えば、当該上端から略Ｕ字状の弱め線１８が設けられ、前側板２における上端と略平行な下辺１８ａと、当該下辺１８ａの両端から上端とを連結する側辺１８ｂとを有する。同図に示すように、弱め線１８で囲われた裏面部の一部は、糊等が塗布される貼着部Ｐとされる。
【００２７】
このようにして、展開図が形成される包装用箱は、図３から図６に示すようにして各折線にしたがって折曲させ、所定箇所を貼着することによって組み立てられる。
【００２８】
組み立てられた包装用箱は、当該内部に小型容器Ｂの底部を載置される底部緩衝部を形成し、小型容器Ｂの胴部を保持する胴部緩衝部を形成するとともに、小型容器Ｂ内の内容物等を記載した説明書等の添付書類Ｍを収容する収容空間を形成する。
【００２９】
以下、包装用箱の組み立て順序について、詳細に説明する。
【００３０】
まず、図３に示すように、折線ｅにしたがって第１緩衝板６を内側に折曲させる。また、折線ｈ、ｉにしたがって補助下蓋８ａ、８ｂを内側に折曲させるとともに、折線ｊ、ｋにしたがって補助下蓋糊代片９ａ、９ｂを外側に折曲させて、補助下蓋８ａ、８ｂにそれぞれ重合させる。更に、折線ｎにしたがって第１下蓋１２を内側に折曲させる。そして、折線ｑにしたがって中空保持板１４、中空底板１５、第２糊代片１６及び第２緩衝板１７をまとめて内側に折曲させる。
【００３１】
次に、図４に示すように、折線ｏにしたがって第２下蓋１３を内側に折曲させるとともに、折線ｒ及び折線ｓにしたがって中空底板１５を折曲させて、第２下蓋１３、中空底板１５、第２糊代片１６及び第２緩衝板１７を順に重合させる。当該状態において、第２糊代片１６における裏面部の貼着部Ｐを前側板２に貼着する。この際、折線ｏから上方に中空保持板１４程度の縦寸法を有して貼着することが望ましい。
【００３２】
最後に、折線ｂにしたがって前側板２及び左側板３を内側に折曲させながら、折線ａにしたがって右側板１を内側に折曲させるとともに、折線ｐにしたがって第２下蓋支持片１３ａを外側に折曲した状態で補助下蓋糊代片９ａにおける裏面部の貼着部Ｐを第２下蓋１３に貼着する。
【００３３】
一方、折線ｃにしたがって後側板４を内側に折曲させるとともに、補助下蓋糊代片９ｂにおける裏面部の貼着部Ｐを第１下蓋１２に貼着する。これにより、下蓋を形成した状態とし、折線ｄにしたがって第１糊代片５を内側に折曲させるとともに、第１糊代片５における表面部の貼着部Ｐを右側板１に貼着する。このようにして、折曲及び貼着を行うことで、図５に示した状態とする。
【００３４】
当該状態においては、包装用箱は扁平状に折り畳まれた状態となり、輸送、保管の際、スペースを不要とし非常に便利なものとなる。
【００３５】
次に、図５に示す状態において、包装用箱の左右方向から力を加えると、右側板１、前側板２、左側板３及び後側板４がそれぞれ起き上がり、外周壁を形成する。また、これに伴って、補助下蓋糊代９ａ、９ｂが貼着された第１下蓋１２、第２下蓋１３がそれぞれ起き上がり、相互に組み合わさることで箱底部が形成され、図６に示した状態となる。
【００３６】
当該状態において、包装用箱の内部においては、図６から図９に示すように、第１緩衝板６は、第１糊代片５が貼着される右側板１から前側板２にかけて、傾斜状態で第１緩衝板６の先端部が前側板２の上方に当接する。具体的には、当該先端部は、前側板２における横方向の略中央部と当接する。このとき、図９に示すように、第１緩衝板６の先端部が弱め線１８の下辺１８ａと略同等の位置か、弱め線１８の下辺１８ａより下方に位置することが望ましい。
【００３７】
一方、第２緩衝板１７は、第２糊代片１６が貼着される前側板２から左側板３にかけて、傾斜状態で第２緩衝板１６の一端部が左側板３の下方に当接する。具体的には、図７に示すように、平面視において、第１糊代片５と第１緩衝板６の境界を通り、右側板１及び左側板３と直交する仮想線ｕ上に位置することが望ましい。これにより、第１緩衝板６及び第２緩衝板１７からなる胴部緩衝部における負荷に対し、均衡が図られた構造とすることができる。
【００３８】
このようにして、上方に位置する第１緩衝板６と下方に位置する第２緩衝板１７によって、前側板２側に略Ｖ字状の胴部緩衝部を形成する。このとき、当該胴部緩衝部は、その谷部が前側板２側に配置される。
【００３９】
そして、図９に示すように、少なくとも第２下蓋１３、中空保持板１４及び中空底板１５により形成される底部緩衝部の第２下蓋１３においては、第１下蓋１２上に重合されるとともに、中空底板１５においては、中空保持板１４の縦寸法をもって、箱底部から浮いた状態となる。
【００４０】
また、第１下蓋１２及び補助下蓋８ａ上に位置する第２下蓋支持片１３ａによって、底部緩衝部は弾性機能が付与され、より緩衝機能が向上した状態となる。
【００４１】
更に、第２下蓋１３及び中空底板１５の縦寸法は、右側板１等における横寸法より短く形成されることから、図８及び図９に示すように、底部緩衝部の中空保持板１４と後側板４との間に所定の間隙が形成される。当該間隙は、添付書類Ｍを収容する収容空間１９とされる。
【００４２】
このようにして組み立てられる包装用箱は、図１０に示すように、底部緩衝部に小型容器Ｂの底部を載置し、略Ｖ字状の胴部緩衝部にて小型容器Ｂの胴部を保持する。具体的には、第１緩衝板６にて当該胴部の上方を保持し、第２緩衝板１７にて当該胴部の下方を保持する。そして、収容空間１９に添付書類Ｍを収容する。当該添付書類Ｍによって、後側板４側における小型容器Ｂを保持することが可能となる。このとき、第１緩衝板６の先端部、第２緩衝板１６の一端部が前側板２、左側板３にそれぞれ当接した状態となることから、第１緩衝板６及び第２緩衝板１７の弾性変形により、緩衝機能が付与される。
【００４３】
そして、折線ｆ、ｇを介して上内蓋７ａ、７ｂを内側へ折曲し、折線ｌを介して上蓋１０を内側へ折曲させるとともに、折線ｍを介して差し込み片１１を折曲させて、弱め線１８で囲われた破断部の貼着部Ｐと貼着し、包装用箱を閉蓋する。
【００４４】
小型容器Ｂ及び添付書類Ｍを収容し、閉蓋された包装用箱においては、第１緩衝板６の横方向における略中央部は小型容器Ｂと当接し、第１緩衝板６の先端部は前側板２と当接する。
【００４５】
ここで、弱め線１８からの包装用箱の開封は、当該箇所を外側から押圧することで、弱め線１８を破断し開封する。係る際には、第１緩衝板６の先端部によって、弱め線１８における下辺１８ａより下方の前側板２が支持された状態となっているので、当該下辺１８ａの破断を容易に行うことができる。
【００４６】
また、下辺１８ａより破断された前側板２は、更に押圧されることで、差し込み片１１とともに、第１緩衝板６の傾斜部６ａに沿うようにして引き上げられて側辺１８ｂが破断される。第１緩衝板６における傾斜部６ａの誘導により、当該側辺１８ｂの破断を容易に行うことができる。このようにして、差し込み片１１が貼着される当該破断部を破断することで、包装用箱は開封される。
【００４７】
以上、説明した本発明に係る包装用箱によれば、底部緩衝部にて小型容器Ｂの底部を浮かせた状態で載置し、略Ｖ字状の胴部緩衝部にて小型容器Ｂの胴部を保持することができる。また、後側板４の縦方向（鉛直方向）に沿うようにして、収容空間１９を確保することにより、容易に添付書類Ｍを収容することができる。
【００４８】
更に、上述した組み立て順序により、折線ａからｔにしたがって各構成板及び構成片を折曲すればよいので、自動製函機（サックマシン）で作製できるものとなり、量産化がし易いものとなる。
【００４９】
更に、第１緩衝板６、第２緩衝板１７の設ける位置を変更することで、第１緩衝板６及び第２緩衝板１７とを小型容器Ｂにおける胴部の略同等の高さにて保持することもできる。
【００５０】
また、底部緩衝部、第２糊代片１６及び第２緩衝板１７は、前側板２以外の右側板１、左側板３、後側板４に設けることもできるし、第１糊代片５及び第１緩衝板６は、後側板４以外の右側板１、前側板２、左側板３に設けることもできる。すわなち、収容空間１９は、後側板４側に限らず、左側板３側、右側板１側、前側板２側に設けられる。
【００５１】
例えば、後側板４、右側板１、前側板２、左側板３、第１糊代片５、第１緩衝板６とを折線ａ、ｂ、ｃ、ｄ、ｅを介して横一方向に順次連設し、右側板１の下端に底部緩衝部、第２糊代片１６及び第２緩衝板１７を設ける。その他の構成片等については省略する。これにより、収容空間１９は、左側板３側に形成される。また、胴部緩衝部の谷部は右側板１側に配置される。
【００５２】
更に、補助下蓋糊代片９ａ、９ｂの設ける位置を変更することで、補助下蓋糊代片９ａを第１下蓋１２に貼着し、補助下蓋糊代片９ｂを第２下蓋１３に貼着することもできる。
【００５３】
その他、形状、寸法、材質等を適宜変更して実施することが可能である。また、一部構成を省略することができるし、一部抽出した構成とすることができるのは勿論である。
【符号の説明】
【００５４】
１      右側板
２      前側板
３      左側板
４      後側板
５      第１糊代片
６      第１緩衝板
７      内蓋
７ａ、７ｂ  上内蓋
８      補助蓋
８ａ、８ｂ  補助下蓋
９      補助蓋糊代片
９ａ、９ｂ  補助下蓋糊代片
１０    上蓋
１１    差し込み片
１２    第１下蓋
１３    第２下蓋
１３ａ  第２下蓋支持片
１４    中空保持板
１５    中空底板
１６    第２糊代片
１７    第２緩衝板
１８    弱め線
１９    収容空間
Ｂ      小型容器
Ｍ      添付書類
Ｐ      貼着部
ａ〜ｔ  折線
ｕ      仮想線
【図１】
2014005045.tif 000003
【図２】
2014005045.tif 000004
【図３】
2014005045.tif 000005
【図４】
2014005045.tif 000006
【図５】
2014005045.tif 000007
【図６】
2014005045.tif 000008
【図７】
2014005045.tif 000009
【図８】
2014005045.tif 000010
【図９】
2014005045.tif 000011
【図１０】
2014005045.tif 000012